(57)【要約】【課題】使用者が意図する設定色に近い色にて、複数の照明装置間の点灯色のばらつきを低減して、照明空間全体の照明光を略均一な色にすることができる照明システムを提供する。【解決手段】相互に通信可能な複数の照明装置１のうち特定の照明装置１が、設定された設定色のデータを前記他の照明装置１に送信して、該他の照明装置１を前記データに応じた色にて点灯させ、色センサにより検出された前記複数の照明装置１夫々の点灯色に対応する検出値を夫々取得し、取得した複数の照明装置の検出値の平均値を算出し、該平均値に対応する色に前記設定色を更新するように照明システムが構成してあるから、例えば、複数の照明装置１の点灯可能な色範囲が異なる場合においても、使用者が意図する設定色に近い色にて、点灯色のばらつきを低減した状態にて複数の照明装置１を点灯させることができ、照明空間全体の照明光を略均一な色にすることが可能となる。【選択図】図４
2011222122.tif 000002
【特許請求の範囲】
【請求項１】
複数色にて点灯することが可能であり、通信手段を有し、相互に通信可能な複数の照明装置を備え、該複数の照明装置のうち特定の照明装置に対して点灯する色を設定することにより、他の照明装置の点灯色を変更することができるように構成された照明システムであって、
前記複数の照明装置夫々の点灯色を検出する色センサを有しており、
前記特定の照明装置は、設定された設定色のデータを前記他の照明装置に前記通信手段を用いて送信して、該他の照明装置を前記データに応じた色にて点灯させ、前記色センサにより検出された検出値を夫々取得し、取得した複数の照明装置の検出値の平均値を算出し、算出した平均値に対応する色に前記設定色を更新するようにしてあることを特徴とする照明システム。
【請求項２】
前記複数の照明装置と送受信可能な通信手段を有し、該通信手段を用いて前記複数の照明装置夫々の点灯及び／又は点灯色を制御するコントローラを備え、
該コントローラは、前記複数の照明装置を複数のグループに分ける操作を受付けるグループ設定受付手段と、グループ毎に前記特定の照明装置を選定する操作を受付ける選定受付手段とを備え、前記複数の照明装置夫々に、属するグループ及び該グループの特定の照明装置の情報を送信するようにしてあり、
前記複数の照明装置夫々は、受信した自らが属するグループ及び該グループの特定の照明装置の情報を記憶する記憶手段を備えており、
選定された特定の照明装置夫々に対して前記設定色を設定することが可能なようにしてあることを特徴とする請求項１に記載の照明システム。
【請求項３】
前記複数の照明装置夫々は自らの点灯可能な色範囲のデータが予め記憶してある記憶手段を備えており、
前記コントローラは、前記複数の照明装置夫々の前記色範囲のデータを前記記憶手段から読出して、色範囲が最も狭い照明装置を点滅又は所定の色にて点灯させることが可能なようにしてあることを特徴とする請求項２に記載の照明システム。
【請求項４】
前記複数の照明装置夫々は、遠隔操作機からの信号を受信可能な受信手段を備えており、
前記特定の照明装置は、前記遠隔操作機からの信号に応じて前記設定色を設定することが可能なようにしてあることを特徴とする請求項１から３の何れか一つに記載の照明システム。
【請求項５】
前記遠隔操作機からの信号を受信した前記他の照明装置は、前記記憶手段に記憶された特定の照明装置に前記通信手段を用いて前記信号を送信し、該信号を受信した特定の照明装置は、点滅又は前記設定色と異なる色にて点灯するようにしてあることを特徴とする請求項４に記載の照明システム。
【請求項６】
前記遠隔操作機は、複数のグループのうち一のグループを指定する操作を受付け、他のグループの特定の照明装置に、前記一のグループの点灯色のデータを取得して、該点灯色にて点灯する命令信号を送信することが可能なようにしてあり、
前記遠隔操作機から前記命令信号を受信した他のグループの特定の照明装置は、前記一のグループの点灯色のデータを前記通信手段を用いて取得し、取得したデータに応じて点灯するようにしてあることを特徴とする請求項４又は５に記載の照明システム。
【請求項７】
前記複数の照明装置夫々は、前記色センサを備えていることを特徴とする請求項１から６の何れか一つに記載の照明システム。
【発明の詳細な説明】
【技術分野】
【０００１】
本発明は、複数色にて点灯することが可能であり、通信手段を有し、相互に通信可能な複数の照明装置を備え、該複数の照明装置のうち特定の照明装置に対して点灯する色を設定することにより、他の照明装置の点灯色を変更することができるように構成された照明システムに関する。
【背景技術】
【０００２】
従来、照明装置の光源として、白熱電球又は蛍光灯が広く用いられている。近年、発光ダイオード（以下、ＬＥＤという）の高輝度化に伴い、従来の光源に代えて、低消費電力、長寿命等の特性を有するＬＥＤが照明装置の光源として用いられている。しかしながらＬＥＤは、従来の光源と比較して、製品間における色度のばらつきが大きい。このため、同一型式のＬＥＤを用いて照明装置を構成した場合にも、複数のＬＥＤ間において色度等の光学特性のばらつきが生じるという問題があった。そこで、複数のＬＥＤ間の光学特性のばらつきを抑制するように構成された照明装置が提案されている（例えば、特許文献１参照）。
【０００３】
特許文献１に開示された照明装置は、発光色が異なるＬＥＤ毎に光出力値とオンデューティを対応づけて設定して、混光された色温度が所定値となるように発光色が異なるＬＥＤ毎にオンデューティを変更するように構成してある。これにより同一照明装置内における光色のばらつきを補正することができる。しかしながら、複数の照明装置を備える照明システムにおいては、個々の照明装置において均一な照明が得られる場合においても、前述したように複数のＬＥＤ間における色度のばらつきが大きいから、複数の照明装置間に光色のばらつきが生じることがあり、使用者に違和感を与え、照明効果が低下する虞があった。このため、複数の照明装置間の光色のばらつきを抑制すべく構成された照明システムが提案されている（例えば、特許文献２参照）。
【０００４】
特許文献２に開示された照明制御システムは、通信制御回路及び点灯回路を有する複数の照明器具と、該複数の照明器具を相互に接続する通信回線とを備えている。各照明器具は、周囲の照明器具と相互に制御監視データの授受を行いつつ、周囲の照明器具の状態に応じて自己の光量及び光色の制御を行うように構成してある。
【先行技術文献】
【特許文献】
【０００５】
【特許文献１】特開２００６−４０８７２号公報
【特許文献２】特開平７−２３４７０号公報
【発明の概要】
【発明が解決しようとする課題】
【０００６】
特許文献２に係る照明制御システムにおいては、各照明器具は、周囲、特に隣接する照明器具の照明状態に応じて調光及び調色制御がなされるため、隣接する照明装置間における光色の差を小さくすることができ、照明空間の調色状態を滑らかにすることができる。しかしながら、各照明器具の周囲にある照明器具の照明状態に応じて調色を行っているだけであるから、使用者が意図する設定色と実際の点灯色とが異なる色になったり、離れた位置間の照明器具の光色に差が生じて、照明空間全体が略均一な色にならずに色むらが生じたりする虞があった。そして、設置されている複数の照明器具の点灯可能な色範囲が異なる場合は特に、これらの問題が生じやすい。
【０００７】
本発明は斯かる事情に鑑みてなされたものであり、使用者が意図する設定色に近い色において、複数の照明装置間の点灯色のばらつきを低減して、照明空間全体の照明光を略均一な色にすることができる照明システムを提供することを目的とする。
【課題を解決するための手段】
【０００８】
本発明に係る照明システムは、複数色にて点灯することが可能であり、通信手段を有し、相互に通信可能な複数の照明装置を備え、該複数の照明装置のうち特定の照明装置に対して点灯する色を設定することにより、他の照明装置の点灯色を変更することができるように構成された照明システムであって、前記複数の照明装置夫々の点灯色を検出する色センサを有しており、前記特定の照明装置は、設定された設定色のデータを前記他の照明装置に前記通信手段を用いて送信して、該他の照明装置を前記データに応じた色にて点灯させ、前記色センサにより検出された検出値を夫々取得し、取得した複数の照明装置の検出値の平均値を算出し、算出した平均値に対応する色に前記設定色を更新するようにしてあることを特徴とする。
【０００９】
本発明にあっては、複数の照明装置のうち特定の照明装置に対して点灯する色を設定して、他の照明装置の点灯色を変更するようにしてあり、前記特定の照明装置は、設定された設定値のデータを他の照明装置に送信して、他の照明装置を前記データに応じた色にて点灯させ、色センサにより検出された検出値を夫々取得して、取得した検出値の平均値を算出し、算出した平均値に対応する色に前記設定色を更新するようにしてある。例えば、複数の照明装置の点灯可能な色範囲が異なる場合においても、使用者が意図する設定色に近い色において、複数の照明装置間の点灯色のばらつきを低減した状態にて複数の照明装置を点灯させることができ、照明空間全体の照明光を略均一な色にすることが可能となる。
【００１０】
本発明に係る照明システムは、前記複数の照明装置と送受信可能な通信手段を有し、該通信手段を用いて前記複数の照明装置夫々の点灯及び／又は点灯色を制御するコントローラを備え、該コントローラは、前記複数の照明装置を複数のグループに分ける操作を受付けるグループ設定受付手段と、グループ毎に前記特定の照明装置を選定する操作を受付ける選定受付手段とを備え、前記複数の照明装置夫々に、属するグループ及び該グループの特定の照明装置の情報を送信するようにしてあり、前記複数の照明装置夫々は、受信した自らが属するグループ及び該グループの特定の照明装置の情報を記憶する記憶手段を備えており、選定された特定の照明装置夫々に対して前記設定色を設定することが可能なようにしてあることを特徴とする。
【００１１】
本発明にあっては、複数の照明装置の点灯及び／又は点灯色を制御するコントローラを用いて、前記複数の照明装置を複数のグループに分け、グループ毎に特定の照明装置を選定する操作を受付け、複数の照明装置夫々に、属するグループ及び該グループの特定の照明装置の情報を送信し、複数の照明装置夫々の記憶手段に前記情報を記憶させて、選定された特定の照明装置夫々に対して設定値を設定することが可能なようにしてある。コントローラを用いてグループ及び該グループの特定の照明装置を選定したのちは、特定の照明装置に対して点灯する色を設定することにより、照明装置の設置場所、使用者の好み等に応じて設定されたグループ毎に、使用者が意図する設定色に近い色において、複数の照明装置間の点灯色のばらつきを低減した状態にて点灯させることができ、照明空間全体の照明光を略均一な色にすることができる。
【００１２】
本発明に係る照明システムは、前記複数の照明装置夫々は自らの点灯可能な色範囲のデータが予め記憶してある記憶手段を備えており、前記コントローラは、前記複数の照明装置夫々の前記色範囲のデータを前記記憶手段から読出して、色範囲が最も狭い照明装置を点滅又は所定の色にて点灯させることが可能なようにしてあることを特徴とする。
【００１３】
本発明にあっては、コントローラは、複数の照明装置夫々の記憶手段から点灯可能な色範囲のデータを読出して、色範囲が最も狭い照明装置を点滅又は所定の色にて点灯させることが可能なようにしてあるから、特定の照明装置を選定するときに、複数の照明装置のうち、色範囲が最も狭い、換言すると、他の照明装置が表示できない色範囲部分が少ない照明装置を使用者に提示することが可能となる。この提示された照明装置を特定の照明装置として選定することにより、特定の照明装置に対して設定された色の通りに他の照明装置が点灯することができる場合が多くなる。この結果、使用者の利便に資すると共に、適切な照明装置を特定の照明装置として設定することにより、使用者が意図する設定色に近い色において、複数の照明装置間の点灯色のばらつきを低減した状態にて点灯させることができ、照明空間全体の照明光を略均一な色にすることが容易となる。
【００１４】
本発明に係る照明システムは、前記複数の照明装置夫々は、遠隔操作機からの信号を受信可能な受信手段を備えており、前記特定の照明装置は、前記遠隔操作機からの信号に応じて前記設定色を設定することが可能なようにしてあることを特徴とする。
【００１５】
本発明にあっては、遠隔操作機からの信号に応じて特定の照明装置の設定色を設定することが可能であるから、遠隔操作機を用いて、使用者が照明装置の点灯色を確認しながら設定色を設定することができ、使用者の利便に資する。
【００１６】
本発明に係る照明システムは、前記遠隔操作機からの信号を受信した前記他の照明装置は、前記記憶手段に記憶された特定の照明装置に前記通信手段を用いて前記信号を送信し、該信号を受信した特定の照明装置は、点滅又は前記設定色と異なる色にて点灯するようにしてあることを特徴とする。
【００１７】
本発明にあっては、前記他の照明装置が遠隔操作機からの信号を受信したときに、受信した照明装置が属するグループの特定の照明装置に前記信号を送信し、該信号を受信した特定の照明装置が点滅又は前記設定色と異なる色にて点灯するようにしてあるから、選定された特定の照明装置がどれであるかを使用者が容易に知ることができ、使用者の利便に資する。
【００１８】
本発明に係る照明システムは、前記遠隔操作機は、複数のグループのうち一のグループを指定する操作を受付け、他のグループの特定の照明装置に、前記一のグループの点灯色のデータを取得して、該点灯色にて点灯する命令信号を送信することが可能なようにしてあり、
前記遠隔操作機から前記命令信号を受信した他のグループの特定の照明装置は、前記一のグループの点灯色のデータを前記通信手段を用いて取得し、取得したデータに応じて点灯するようにしてあることを特徴とする。
【００１９】
本発明にあっては、遠隔操作機から複数のグループのうち一のグループの点灯色のデータを取得して、該点灯色にて点灯する命令信号を受信した他のグループの特定の照明装置は、前記命令信号に従って、前記一のグループの照明装置の点灯色にて点灯するから、例えば、前記一のグループが別の部屋に設置してある場合においても、容易に前記一のグループの点灯色を知ることができ、使用者の利便に資する。
【００２０】
本発明に係る照明システムは、前記複数の照明装置夫々は、前記色センサを備えていることを特徴とする。
【００２１】
本発明にあっては、複数の照明装置夫々が前記色センサを備えているから、別途色センサ及び通信手段を設ける必要がなく設置が容易である。また、設置される照明装置の光源に適合性の高いセンサ、例えば、光源がＬＥＤである場合、該ＬＥＤの波長領域において感度の高いセンサを選定することにより、センサ感度を良好にすることができる。
【発明の効果】
【００２２】
本発明によれば、使用者が意図する設定色に近い色において、複数の照明装置間の点灯色のばらつきを低減して、照明空間全体の照明光を略均一な色にすることができる。
【図面の簡単な説明】
【００２３】
【図１】本発明の実施の形態に係る照明システムの概略構成を示すブロック図である。
【図２】本実施の形態に係る照明システムを構成する照明装置の概略構成を示すブロック図である。
【図３】本実施の形態に係る照明システムを構成するコントローラの概略構成を示すブロック図である。
【図４】本実施の形態における点灯色変更の処理シーケンスの説明図である。
【図５】本実施の形態の特定の照明装置における点灯色変更の処理手順を示すフローチャートである。
【図６】本実施の形態の他の照明装置又は他のグループの照明装置における点灯色変更の処理手順を示すフローチャートである。
【図７】本実施の形態における特定の照明装置の表示の処理シーケンスの説明図である。
【図８】本実施の形態の特定の照明装置における特定の照明装置の表示の処理手順を示すフローチャートである。
【図９】本実施の形態の他の照明装置又は他のグループの照明装置における特定の照明装置の表示の処理手順を示すフローチャートである。
【図１０】本実施の形態の点灯色取得の処理シーケンスの説明図である。
【図１１】本実施の形態の他のグループの特定の照明装置における一のグループの点灯色取得の処理手順を示すフローチャートである。
【図１２】本実施の形態の前記特定の照明装置以外の照明装置における一のグループの点灯色取得の処理手順を示すフローチャートである。
【発明を実施するための形態】
【００２４】
以下、本発明をその実施の形態を示す図面に基づいて詳述する。図１は、本発明の実施の形態に係る照明システムの概略構成を示すブロック図である。
【００２５】
図１に示すように、本実施の形態に係る照明システムは、通信手段を有する複数の照明装置１と、該複数の照明装置１夫々の点灯及び／又は点灯色を制御する制御用のコントローラ２とを備え、複数の照明装置１とコントローラ２とがＲＳ４８５（米国電子工業会によって標準化されたシリアル通信の規格の一つ）等に準拠した通信線３により相互に通信可能に接続してある。そして、各照明装置１には、固有のＩＤ（ｉｄｅｎｔｉｆｉｃａｔｉｏｎ ｄａｔａ）が夫々割当てられており、本実施の形態においては、図１に示すように、ＩＤ１からＩＤ６のうち何れか一つのＩＤが割当ててある。照明システムは、コントローラ２を用いてＩＤを指定して、該ＩＤの照明装置１に対して制御指令を与えることにより、所望の照明装置１を制御することができるように構成してある。また、照明システムは、複数の照明装置１のうち特定の照明装置に対して点灯色の変更操作をすることが可能な遠隔操作機としてのリモートコントローラ（以下、リモコンという）４を備えている。
【００２６】
図２は、本実施の形態に係る照明システムを構成する照明装置１の概略構成を示すブロック図である。照明装置１は、発光部５と、該発光部５の光色及び光量を制御する制御部６とを備えている。
【００２７】
発光部５は、発光色の異なる複数種類のＬＥＤを備えており、例えば、赤色ＬＥＤと、緑色ＬＥＤと、青色ＬＥＤと、黄色ＬＥＤとを備えてなる。これらのＬＥＤは、例えば、ＬＥＤ素子と、該ＬＥＤ素子を封止し、蛍光体が分散された封止樹脂と、入力端子及び出力端子とを備えてなる表面実装型ＬＥＤである。青色ＬＥＤ、緑色ＬＥＤ及び赤色ＬＥＤの３種類の異なる発光色のＬＥＤ夫々の光量を制御することにより、複数色、フルカラーの再現が可能である。なお、黄色ＬＥＤは、ＬＥＤ素子として青色ＬＥＤ素子を、蛍光体として青色ＬＥＤ素子からの光により励起されて黄色光を発する黄色蛍光体を用いており、高演色性の照明光を得るべく、適切にＬＥＤ素子及び蛍光体を選定してある。
【００２８】
制御部６は、ＣＰＵ６１と、記憶手段としてのメモリ６２と、通信制御部６３と、遠隔操作制御部６４と、色センサ６５とを備えており、メモリ６２に記憶された制御プログラムに従うＣＰＵ６１の動作により照明装置１の各構成部の制御を行うように構成してある。ＣＰＵ６１には、メモリ６２、通信制御部６３、遠隔操作制御部６４及び色センサ６５が夫々接続してある。なお、ＣＰＵ６１は内部にタイマを有している。
【００２９】
通信制御部６３には、通信線３が接続してあり、通信線３上を伝送されるデータが通信制御部６３を介して、ＣＰＵ６１に入出力されることになり、照明装置１は、コントローラ２及び他の複数の照明装置１との間においてデータの送受信が可能となる。遠隔操作制御部６４は、遠隔操作機であるリモコン４からの信号を受信して、受信した信号をＣＰＵ６１に与える。なお、リモコン４は、例えば、複数の照明装置１のうち特定の照明装置を表示する操作を受付ける手段と、照明装置１の点灯色を変更する（光色の青色、緑色及び赤色夫々の強弱を変更する）操作を受付ける手段と、他のグループの点灯色を取得して該点灯色にて点灯させる操作を受付ける手段と、これらの操作に応じた赤外線信号の送信を行う送信部とを備えてなる赤外線リモートコントローラである。
【００３０】
制御部６のＣＰＵ６１は、コントローラ２又はリモコン４からの信号に応じた制御信号を発光部５に与える。発光部５は、前述した発光色の異なる複数種類のＬＥＤを各駆動する駆動回路を備えており、該駆動回路は、ＣＰＵ６１からの制御信号に応じて、ＬＥＤに対する給電／遮断を行う電界効果型トランジスタ等のスイッチング素子を有している。なお、制御信号は、発光部５を構成するＬＥＤの電流−輝度特性に従った電流信号であり、本実施の形態においては、ＰＷＭ信号である。発光部５は、ＣＰＵ６１から発光部５の各ＬＥＤに与えられたＰＷＭ信号により、コントローラ２又はリモコン４からの信号に応じた所定の色及び明るさにて点灯することになる。
【００３１】
色センサ６５は、照明装置１の適宜部位に設けられ、該照明装置１自らの実際の点灯色を検出すべく、照明光の赤色、緑色及び青色夫々の光強度を検出するフォトダイオード等を有してなる光センサである。色センサ６５は、それ自体公知であるので、詳細な説明は省略する。色センサ６５は、検出した検出値をＣＰＵ６１に与える。なお、色センサ６５を構成する光センサは、赤色、緑色及び青色の各色のＬＥＤに対応した感度波長領域を有していること、換言すると、検出対象のＬＥＤの発光強度の高い波長領域に感度波長領域がなるようにしてあることが望ましい。また、本実施の形態においては、照明装置１の適宜部位に色センサ６５を設けているが、複数の照明装置１夫々の実際の点灯色を検出することが可能であればよく、照明装置１と別体に設けてもよい。
【００３２】
図３は、本実施の形態に係る照明システムを構成するコントローラ２の概略構成を示すブロック図である。コントローラ２は、ＣＰＵ２１と、メモリ２２と、通信制御部２３と、入力部２４とを備えており、メモリ２２に記憶された制御プログラムに従うＣＰＵ２１の動作によりコントローラ２の各構成部の制御を行うように構成してある。ＣＰＵ２１には、メモリ２２、通信制御部２３及び入力部２４が夫々接続してある。
【００３３】
通信制御部２３には、通信線３が接続してあり、通信線３上を伝送されるデータが、通信制御部２３を介して、ＣＰＵ２１に入出力されることになり、コントローラ２は、複数の照明装置１夫々との間においてデータの送受信が可能となる。複数の照明装置１夫々には、前述したように固有のＩＤが割当てられており、コントローラ２を用いてＩＤを指定して、該ＩＤの照明装置１に対して制御指令を与えることにより、所望の照明装置１の点灯及び／又は点灯色を制御するようにしてある。なお、複数の照明装置１夫々のＩＤ情報はメモリ２２に記憶してある。
【００３４】
入力部２４は、複数の照明装置１を複数のグループに分ける操作を受付けるグループ設定受付手段２４ａと、グループ毎に代表の照明装置である特定の照明装置を選定する操作を受付ける選定受付手段２４ｂとを備え、これらの操作に応じた信号をＣＰＵ２１に与える。ＣＰＵ２１は、複数の照明装置１夫々に対して、照明装置１の所属するグループ及び該グループの特定の照明装置の情報を、通信制御部２３と用いて送信すると共に、メモリ２２に記憶する。
【００３５】
本実施の形態に係る照明システムは、コントローラ２を用いて複数の照明装置１のうち特定の照明装置１を選定したのちは、コントローラ２又はリモコン４を用いて、特定の照明装置１に対して点灯する色を設定することにより、該特定の照明装置１のＣＰＵ６１から該特定の照明装置１と同じグループの他の照明装置１のＣＰＵ６１に設定色のデータが送信され、該データを受信した他の照明装置１がデータに応じた色にて点灯することにより、他の照明装置１の点灯色を変更することができるように構成してある。なお、他の照明装置１に対しては、コントローラ２による点灯色の変更操作は可能であるが、リモコン４による点灯色の変更操作はできないようにしてある。即ち、コントローラ２に通信線３により接続されている複数の照明装置１のうち１つの照明装置１をコントローラ２の入力部２４を用いて選定したのちは、選定された特定の照明装置１に対して、リモコン４を用いた設定色の変更操作が可能となり、コントローラ２のみだけでなくリモコン４からの操作により照明システムを構成する複数の照明装置１の点灯色の変更ができるようになる。
【００３６】
ここで、複数の照明装置１を、図１に示すように、ＩＤ１〜３の照明装置１を含んでなる第１グループ１０とＩＤ４〜６の照明装置１を含んでなる第２グループ２０の２つのグループにグループ分けし、第１グループ１０の特定の照明装置としてＩＤ１の照明装置１が、第２グループ２０の特定の照明装置としてＩＤ５の照明装置１が選定された場合を考える。このグループ分けは、グループ毎、例えば、部屋毎に点灯色を管理することができるようにするために行う。まず、照明システムにおける点灯色変更の処理について、以下説明する。
【００３７】
図４は、本実施の形態における点灯色変更の処理シーケンスの説明図である。照明システムは、図４に示すように、リモコン４から該リモコン４を用いて設定された設定色に点灯色を変更する指令を受信した特定の照明装置１（ＩＤ５の照明装置１）は、受信した設定色のデータを通信線３を介して自ら以外の全照明装置１に同報送信すると共に、設定された設定色にて点灯する。同報送信されたデータを受信した同一グループの他の照明装置１、具体的にはＩＤ４の照明装置１とＩＤ６の照明装置１は、点灯色を、受信したデータに応じた色に変更する。このように構成することにより、特定の照明装置１により同一グループの他の照明装置１の点灯色を変更することが可能となる。なお、異なるグループの複数の照明装置１、具体的には第１グループ１０のＩＤ１〜３の照明装置１は、受信した設定色のデータを破棄する。
【００３８】
設定色のデータに応じた色にて点灯した第２グループ２０の複数の照明装置１は、色センサ６５により検出された自らの点灯色の検出値を取得し、他の照明装置１は、特定の照明装置１に取得した点灯色の検出値を送信する。特定の照明装置１は、自らを含めた第２グループ２０の複数の照明装置１全ての点灯色の検出値を取得し、取得した複数の照明装置１の検出値の平均値を算出し、算出した平均値に対応する色に設定色を更新する。特定の照明装置１は、更新した設定色のデータを通信線３を介して自ら以外の全照明装置１に同報送信すると共に、更新した設定色にて点灯する。同報送信されたデータを受信した同一グループの他の照明装置１、具体的には第２グループ２０のＩＤ４の照明装置１とＩＤ６の照明装置１は、点灯色を、受信したデータに応じた色に変更する。同一グループの複数の照明装置１の点灯可能な色範囲が異なり、最初の設定色にて点灯することができない照明装置が含まれる場合においても、複数の照明装置１間の点灯色のばらつきを低減した状態にて複数の照明装置１を点灯させることができ、色ムラを軽減して照明空間全体の照明光を略均一な色にすることが可能となる。なお、異なるグループの複数の照明装置１、具体的には第１グループ１０のＩＤ１〜３の照明装置１は、受信した設定色のデータを破棄する。
【００３９】
図５は、本実施の形態の特定の照明装置１における点灯色変更の処理手順を示すフローチャートである。特定の照明装置であるＩＤ５の照明装置１の制御部６は、遠隔操作制御部６４によりリモコン４から該リモコン４を用いて設定された設定色に点灯色を変更する指令を受信し（ステップＳ１）、受信した設定色のデータを、通信制御部６３を用いて、通信線３に接続されている自ら以外の他の複数の照明装置（ＩＤ１〜４、６）に同報送信する（ステップＳ２）。なお、該データには、設定対象であるグループの情報（本実施の形態においては、第２グループ２０を表す情報）が付与されている。制御部６は、設定色のデータに応じてＣＰＵ６１にて生成されたＰＷＭ信号を発光部５に与え、発光部５を設定色のデータに応じて点灯させる（ステップＳ３）。このとき、同一グループの他の照明装置（ＩＤ４、６の照明装置）も同様に、前述したように前記データに応じた色にて点灯している。
【００４０】
次に、制御部６は、ＣＰＵ６１において、該制御部６内に設けられた色センサ６５により検出された検出値を取得すると共に、通信制御部６３を用いて、同一グループの他の照明装置（ＩＤ４、６）１夫々の色センサ６５により検出された検出値を取得する（ステップＳ４）。制御部６は、ステップＳ４において取得した検出値を用いて、取得した複数の照明装置（ＩＤ４〜６）１の検出値の平均値を算出し（ステップＳ５）、算出した平均値に対応する色に設定色を更新する（ステップＳ６）。
【００４１】
制御部６は、ステップＳ６において更新した設定色のデータを、通信制御部６３を用いて、通信線３に接続されている自ら以外の他の複数の照明装置（ＩＤ１〜４、６）に同報送信する（ステップＳ７）。なお、該データには、設定対象であるグループの情報（本実施の形態においては、第２グループ２０を表す情報）が付与されている。制御部６は、更新された設定色のデータに応じてＣＰＵ６１にて生成されたＰＷＭ信号を発光部５に与え、発光部５を設定色のデータに応じて点灯させ（ステップＳ８）、点灯色変更の処理を終了する。
【００４２】
図６は、本実施の形態の他の照明装置１又は他のグループの照明装置１における点灯色変更の処理手順を示すフローチャートである。制御部６は、通信制御部６３により、通信線３に接続されている特定の照明装置であるＩＤ５の照明装置１から設定色のデータを受信する（ステップＳ１１）。なお、該データには、前述したように、設定対象であるグループの情報（本実施の形態においては、第２グループ２０を表す情報）が付与されている。
【００４３】
制御部６は、ステップＳ１１において受信したデータのグループ情報とメモリ６２に記憶してある自らのグループ情報とを比較してグループが同一であるか否かを判定する（ステップＳ１２）。ステップＳ１２において、グループが同一であると判定された場合（ステップＳ１２：ＹＥＳ）、設定色のデータに応じてＣＰＵ６１にて生成されたＰＷＭ信号を発光部５に与え、発光部５を点灯させる（ステップＳ１３）。一方、ステップＳ１２において、グループが異なると判定された場合（ステップＳ１２：ＮＯ）、受信した設定色のデータを破棄して（ステップＳ１４）、点灯色変更の処理を終了する。
【００４４】
制御部６は、前記設定色のデータにて点灯した状態にて、ＣＰＵ６１において、色センサ６５により検出した検出値を取得し、取得した検出値を、通信制御部６３を用いて、通信線３に接続されているＩＤ５の照明装置１に送信する（ステップＳ１５）。
【００４５】
次に、制御部６は、通信制御部６３により、通信線３に接続されている特定の照明装置であるＩＤ５の照明装置１から設定色のデータを受信する（ステップＳ１６）。なお、該データには、前述したように、設定対象であるグループの情報（本実施の形態においては、第２グループを表す情報）が付与されている。
【００４６】
制御部６は、ステップＳ１６において受信したデータのグループ情報とメモリ６２に記憶してある自らのグループ情報とを比較してグループが同一であるか否かを判定する（ステップＳ１７）。ステップＳ１７において、グループが同一であると判定された場合（ステップＳ１７：ＹＥＳ）、設定色のデータに応じてＣＰＵ６１にて生成されたＰＷＭ信号を発光部５に与え、発光部５を設定色にて点灯させ（ステップＳ１８）、点灯色変更の処理を終了する。一方、ステップＳ１７において、グループが異なると判定された場合（ステップＳ１７：ＮＯ）、受信した設定色のデータを破棄して（ステップＳ１４）、点灯色変更の処理を終了する。
【００４７】
本実施の形態に係る照明システムにおいては、コントローラ２を用いて複数の照明装置１のうち特定の照明装置１を選定したのちは、コントローラ２又はリモコン４を用いて、特定の照明装置１に対して点灯する色を設定することにより、該特定の照明装置１から他の照明装置１に設定色のデータが送信され、該データを受信した他の照明装置１がデータに応じた色にて点灯するように構成してあるから、特定の照明装置の設定色を変更することにより、他の照明装置１の点灯色を変更することができる。そして前記データに応じた色にて点灯する他の照明装置の点灯色を色センサ６５により検出し、特定の照明装置は、検出された検出値を夫々取得して、取得した検出値の平均値を算出し、算出した平均値に対応する色に前記設定色を更新するようにしてあるから、例えば、複数の照明装置１の点灯可能な色範囲が異なり、最初の設定色にて点灯することができない照明装置が照明システムに含まれている場合においても、使用者が意図する設定色に近い色において、複数の照明装置１間の点灯色のばらつきを低減した状態にて複数の照明装置１を点灯させることができ、色むらを低減して照明空間全体の照明光を略均一な色にすることが可能となる。
【００４８】
また、複数の照明装置１を複数のグループに分け、グループ毎に特定の照明装置１を選定する操作を受付け、複数の照明装置１夫々に、属するグループ及び該グループの特定の照明装置１の情報を送信し、複数の照明装置１夫々のメモリ６２に前記情報を記憶させて、選定された特定の照明装置１夫々に対して設定値を設定することが可能なようにしてあるから、グループ毎、例えば、部屋毎に点灯色を管理することができる。コントローラ２を用いてグループ及び該グループの特定の照明装置を選定したのちは、特定の照明装置１に対して点灯する色を設定することにより、照明装置の設置場所、使用者の好み等に応じて設定されたグループ毎に、使用者が意図する設定色に近い色において、複数の照明装置１間の点灯色のばらつきを低減した状態にて点灯させることができ、照明空間全体の照明光を略均一な色にすることができる。
【００４９】
そして、リモコン４からの信号に応じて特定の照明装置１の設定色を設定することが可能であるから、リモコン４を用いて、使用者が照明装置１の点灯色を確認しながら設定色を設定することができ、使用者の利便に資する。
【００５０】
なお、複数の照明装置１夫々のメモリ６２に自らの点灯可能な色範囲のデータを予め記憶させておき、前述したコントローラ２を用いた特定の照明装置１を選定するときに、複数の照明装置１夫々の前記色範囲のデータを各メモリ６２から読出して、色範囲が最も狭い照明装置１を所定時間（例えば１０秒程度）点滅又は所定の色（例えば、赤色）にて点灯させるようにコントローラ２を構成することが望ましい。コントローラ２の入力部２４の選定受付手段２４ｂの操作がなされたときに、通信制御部２３を用いて、通信線３に接続してある複数の照明装置１夫々に前記色範囲のデータを送信する指令信号を送信し、複数の照明装置１から送信された前記色範囲のデータをＣＰＵ２１にて比較して、色範囲が最も狭い照明装置１に対して、所定時間点滅又は所定の色にて点灯させるべく制御信号を送信するようにすればよい。
【００５１】
この結果、特定の照明装置１を選定するときに、複数の照明装置１のうち、色範囲が最も狭い、換言すると、他の照明装置１が表示できない色範囲部分が少ない照明装置１を使用者に提示することができ、使用者がコントローラ２を用いて特定の照明装置１を選定する作業が容易となり、使用者の利便に資する。このように点滅又は所定の色にて点灯させることにより、適切な照明装置１を特定の照明装置１として選定することができ、特定の照明装置１に対して設定された色の通りに他の照明装置１を点灯させることができる場合が多くなる。この結果、使用者が意図する設定色に近い色において、複数の照明装置１間の点灯色のばらつきを低減した状態にて点灯させることができ、照明空間全体の照明光を略均一な色にすることが容易となる。
【００５２】
また、本実施の形態に係る照明システムのように、通信線３に複数台の照明装置１が接続してある場合、特定の照明装置１を選定したのちに、点灯色の変更処理を行うときに、複数の照明装置１のうち特定の照明装置１がどれであるかが分からなくなる虞がある。そこで、特定の照明装置を表示させる処理について、以下説明する。
【００５３】
図７は、本実施の形態における特定の照明装置の表示の処理シーケンスの説明図である。照明システムは、図７に示すように、リモコン４から特定の照明装置を表示する指令の信号を受信した他の照明装置１（本実施の形態においては、ＩＤ４及びＩＤ６の照明装置１）は、受信した表示指令の信号を、通信線３を介して自らが属するグループである第２グループ２０の特定の照明装置１（ＩＤ５の照明装置１）に送信する。表示指令の信号を受信した特定の照明装置１は、所定時間点滅する。これにより、照明システムを構成するどの照明装置１がグループ又はシステムを代表する特定の照明装置１に設定されているかを使用者が認識することができる。なお、異なるグループの複数の照明装置１（本実施の形態においては、第１グループ１０のＩＤ１〜３の照明装置１）は、受信した表示指令の信号を破棄する。図７に示すように、複数の照明装置１から表示指令の信号が送信されることがあるから、送信された信号が特定の照明装置１に正常に受信されない虞があり、この場合に対応すべく、送信側の照明装置１は、送信失敗と判断したとき、ランダム時間後に再送信を行うようにしてある。なお、異なるグループの複数の照明装置１（本実施の形態においては、第１グループ１０のＩＤ１〜３の照明装置１）は、受信した表示指令の信号を破棄する。
【００５４】
図８は、本実施の形態の特定の照明装置１における特定の照明装置１の表示の処理手順を示すフローチャートである。特定の照明装置１であるＩＤ５の照明装置１の制御部６は、遠隔操作制御部６４によりリモコン４、又は通信制御部６３により他の照明装置１（ＩＤ４及びＩＤ６の照明装置１）から特定の照明装置を表示する指令の信号を受信する（ステップＳ２１）。なお、該信号には、表示対象であるグループの情報（本実施の形態においては、第２グループ２０を表す情報）及び特定の照明装置のＩＤ（ＩＤ５）情報が付与されている。
【００５５】
制御部６は、ステップＳ２１において受信した表示指令の信号のグループ情報とメモリ６２に記憶してある自らのグループ情報とを比較してグループが同一であるか否かを判定する（ステップＳ２２）。ステップＳ２２において、グループが同一であると判定された場合（ステップＳ２２：ＹＥＳ）、他の照明装置１に受信成功を表す信号を返信する（ステップＳ２３）。一方、ステップＳ２２において、グループが異なると判定された場合（ステップＳ２２：ＮＯ）、表示指令の信号を破棄して、特定の照明装置の表示の処理を終了する。
【００５６】
次に、制御部６は、ＣＰＵ６１内のタイマをスタートし（ステップＳ２５）、発光部５を点滅させる（ステップＳ２６）。制御部６は、ステップＳ２５においてスタートしたタイマにより計時した時間Ｔが所定時間（例えば１０秒程度）Ｔ１より大であるか否かを判定する（ステップＳ２７）。ステップＳ２７において、ＴがＴ１よりも大であると判定された場合（ステップＳ２７：ＹＥＳ）、発光部５を消灯して（ステップＳ２８）、特定の照明装置の表示の処理を終了する。一方、ステップＳ２７において、ＴがＴ１よりも大ではないと判定された場合（ステップＳ２７：ＮＯ）、ステップＳ２６に戻って一連の動作を繰り返す。
【００５７】
図９は、本実施の形態の他の照明装置１又は他のグループの照明装置１における特定の照明装置１の表示の処理手順を示すフローチャートである。他の照明装置（ＩＤ４及びＩＤ６の照明装置）１又は他のグループ（第１グループ１０）の照明装置１の制御部６は、遠隔操作制御部６４によりリモコン４、又は通信制御部６３により他の照明装置１から特定の照明装置１を表示する指令の信号を受信する（ステップＳ３１）。なお、該信号には、表示対象であるグループの情報（本実施の形態においては、第２グループ２０を表す情報）及び特定の照明装置のＩＤ（ＩＤ５）情報が付与されている。
【００５８】
制御部６は、ステップＳ３１において受信した表示指令の信号のグループ情報とメモリ６２に記憶してある自らのグループ情報とを比較してグループが同一であるか否かを判定する（ステップＳ３２）。ステップＳ３２において、グループが同一であると判定された場合（ステップＳ３２：ＹＥＳ）、特定の照明装置（ＩＤ５の照明装置）１に表示指令の信号を送信する（ステップＳ３３）。一方、ステップＳ３２において、グループが異なると判定された場合（ステップＳ３２：ＮＯ）、表示指令の信号を破棄して（ステップＳ３４）、特定の照明装置の表示の処理を終了する。
【００５９】
次に、制御部６は、ステップＳ３３において、表示指令の信号を送信したのち、送信が成功したか否かを判定する（ステップＳ３５）。この判定は、特定の照明装置からの返信を受信したか否かによりなされる。ステップＳ３５において、送信成功であると判定された場合（ステップＳ３５：ＹＥＳ）、特定の照明装置の表示の処理を終了する。一方、ステップＳ３５において、送信成功でないと判定された場合（ステップＳ３５：ＮＯ）、ステップＳ３３に戻って一連の動作を繰り返す。なお、制御部６は、表示指令の信号を、ランダム時間経過後に再送信するようにしてある。
【００６０】
本実施の形態に係る照明システムにおいては、他の照明装置１がリモコン４からの表示指令等の信号を受信したときに、受信した照明装置１が属するグループの特定の照明装置１に前記信号を送信し、該信号を受信した特定の照明装置１が所定時間点滅するようにしてあるから、照明システムを構成する複数の照明装置１のうちどの照明装置１がグループ又はシステムを代表する特定の照明装置１であるかを使用者が容易に知ることができ、使用者の利便に資する。
【００６１】
なお、本実施の形態においては、特定の照明装置１を所定時間点滅させるように構成してあるが、前述した設定色であり現在の点灯色（特定の照明装置１を含む第２グループ２０の点灯色）と異なる色にて所定時間点灯させるように構成してもよい。また、本実施の形態においては、図７乃至図９に示した特定の照明装置の表示の処理は、リモコン４からの特定の照明装置の表示指令の信号を受信した場合について述べたが、これに限定されず、リモコン４からの点灯色を変更する指令信号等の予め特定の照明装置のみに権限が与えられている処理についての信号を他の照明装置が受信したときに、同様に特定の照明装置の表示の処理を行うように構成してもよい。
【００６２】
また、複数のグループのうち一のグループが、例えば他の部屋等の設定者がいる場所と離れた位置に設置してある場合において、設定者がいる場所に近い他のグループの特定の照明装置を前記一のグループの点灯色にて点灯させることにより、該一のグループの点灯色を確認することが可能なように照明システムを構成することも可能である。
【００６３】
図１０は、本実施の形態の点灯色取得の処理シーケンスの説明図である。照明システムは、図１０に示すように、リモコン４から一のグループ（本実施の形態においては第１グループ１０）の点灯色を取得する指令の信号を受信した他のグループ（本実施の形態においては第２グループ２０）の特定の照明装置（ＩＤ５の照明装置）１は、受信した点灯色取得指令の信号を、通信線３を介して自ら以外の全照明装置１に送信する。送信されたデータを受信した第１のグループ１０の特定の照明装置（ＩＤ１の照明装置）１は、点灯色のデータを第２グループ２０の特定の照明装置（ＩＤ５の照明装置）１に送信する。該点灯色のデータを受信した第２グループ２０の特定の照明装置１は、第１グループ１０の点灯色にて所定時間点灯する。この所定時間内に、リモコン４の操作をすることにより、第１グループ１０の他の照明装置１の点灯色を現在第２グループ２０の特定の照明装置１に点灯させている色に変更することができる。なお、送信されたデータを受信した第２グループ２０及び第１グループ１０の他の照明装置１は、受信した点灯色取得指令の信号を破棄する。
【００６４】
図１１は、本実施の形態の他のグループの特定の照明装置における一のグループの点灯色取得の処理手順を示すフローチャートである。他のグループ（本実施の形態においては第２グループ２０）の特定の照明装置（ＩＤ５の照明装置）１の制御部６は、遠隔操作制御部６４によりリモコン４から第１グループ１０の点灯色を取得する指令を受信し（ステップＳ４１）、受信した点灯色の取得指令の信号を、通信制御部６３を用いて、通信線３に接続されている自ら以外の他の複数の照明装置（ＩＤ１〜４、６）に送信する（ステップＳ４２）。なお、該指令には、対象であるグループの情報（本実施の形態においては、第１グループ１０を表す情報）が付与されている。
【００６５】
制御部６は、第１グループ１０の特定の照明装置（ＩＤ１の照明装置）１から点灯色のデータを取得する（ステップＳ４３）。なお、この点灯色のデータは、色センサ６５の検出値でもよいし、第１グループ１０の特定の照明装置１に対する設定色のデータでもよい。
【００６６】
次に、制御部６は、ＣＰＵ６１内のタイマをスタートし（ステップＳ４４）、取得した点灯色のデータに応じてＣＰＵ６１にて生成されたＰＷＭ信号を発光部５に与え、発光部５を点灯色のデータに応じて点灯させる（ステップＳ４５）。制御部６は、リモコン４を用いた使用者の操作があるか否かを判定する（ステップＳ４６）。ステップＳ４６において、操作があると判定された場合（ステップＳ４６：ＹＥＳ）、第１グループ１０の照明装置の点灯色の変更処理を行って（ステップＳ４７）、ステップＳ４９に進む。
【００６７】
一方、ステップＳ４６において、操作なしと判定された場合（ステップＳ４６：ＮＯ）、ステップＳ４４においてスタートしたタイマにより計時した時間Ｔが所定時間（例えば１０秒程度）Ｔ２より大であるか否かを判定する（ステップＳ４８）。ステップＳ４８において、ＴがＴ２よりも大であると判定された場合（ステップＳ４８：ＹＥＳ）、ステップＳ４９に進む。一方、ステップＳ４８において、ＴがＴ２よりも大ではないと判定された場合（ステップＳ４８：ＮＯ）、ステップＳ４５に戻って一連の動作を繰り返す。ステップＳ４９において、制御部６は、発光部５を元の色にて点灯して（ステップＳ４９）、一のグループの点灯色取得の処理を終了する。
【００６８】
図１２は、本実施の形態の前記特定の照明装置１以外の照明装置１における一のグループの点灯色取得の処理手順を示すフローチャートである。照明装置１の制御部６は、通信制御部６３により他の照明装置１から第１グループ１０の点灯色を取得する指令を受信する（ステップＳ６１）。なお、該信号には、表示対象であるグループの情報（本実施の形態においては、第２グループ２０を表す情報）及び特定の照明装置のＩＤ（ＩＤ５）情報が付与されている。
【００６９】
制御部６は、ステップＳ６１において受信した点灯色の取得指令の信号のグループ情報とメモリ６２に記憶してある自らのグループ情報とを比較してグループが同一であるか否かを判定する（ステップＳ６２）。ステップＳ６２において、グループが同一であると判定された場合（ステップＳ６２：ＹＥＳ）、特定の照明装置か否かを判定する（ステップＳ６３）。一方、ステップＳ６２において、グループが異なると判定された場合（ステップＳ６２：ＮＯ）、取得指令の信号を破棄して（ステップＳ６４）、一のグループの点灯色取得の処理を終了する。
【００７０】
ステップＳ６３において、特定の照明装置１であると判定された場合（ステップＳ６３：ＹＥＳ）、送信元の特定の照明装置１に点灯色のデータを送信して（ステップＳ６５）、一のグループの点灯色取得の処理を終了する。一方、ステップＳ６３において、特定の照明装置１ではないと判定された場合（ステップＳ６３：ＮＯ）、取得指令の信号を破棄して（ステップＳ６４）、一のグループの点灯色取得の処理を終了する。
【００７１】
本実施の形態に係る照明システムにおいては、リモコン４から複数のグループのうち一のグループの点灯色のデータを取得して、該点灯色にて点灯する命令信号を受信した他のグループの特定の照明装置１は、前記命令信号に従って、前記一のグループの照明装置１の点灯色にて点灯するから、例えば、前記一のグループが別の部屋に設置してある場合においても、容易に前記一のグループの点灯色を知ることができ、また前記一のグループの他の照明装置の点灯色を前記他のグループの特定の照明装置１に表示させてある色に変更することができ、使用者の利便に資する。
【００７２】
なお、以上の実施の形態においては、照明システムを構成する複数の照明装置を２つのグループに分けた場合を例に説明したが、これに限定されず、グループ分けせずに照明システム全体を代表する特定の照明装置を選定し、選定された特定の照明装置の設定色を変更することにより、他の照明装置の点灯色を変更するように構成してもよい。また、２つのグループではなく、３つ以上のグループに分けてもよい。そして、以上の実施の形態においては、各グループが同数の照明装置を含んでなるようにしているが、これに限定されない。
【００７３】
また、以上の実施の形態においては、光源として、発光色の異なる４種類のＬＥＤ（赤色ＬＥＤ、緑色ＬＥＤ、青色ＬＥＤ及び黄色ＬＥＤ）を用いているが、これに限定されず、照明光の色を多段階に変更することが可能な組合せであればよい。また、ＬＥＤではなく、ＥＬ（Ｅｌｅｃｔｒｏ  Ｌｕｍｉｎｅｓｃｅｎｃｅ）等を用いてもよい。
【００７４】
さらに、本発明は、その他、特許請求の範囲に記載した事項の範囲内において種々変更した形態にて実施することが可能であることは言うまでもない。
【符号の説明】
【００７５】
１  照明装置
２  コントローラ
２４ａ  グループ設定受付手段
２４ｂ  選定受付手段
３  通信線
４  リモコン（遠隔操作機）
５  発光部
６  制御部
６２  メモリ（記憶手段）
６３  通信制御部（通信手段）
６５  色センサ
【図１】
2011222122.tif 000003
【図２】
2011222122.tif 000004
【図３】
2011222122.tif 000005
【図４】
2011222122.tif 000006
【図５】
2011222122.tif 000007
【図６】
2011222122.tif 000008
【図７】
2011222122.tif 000009
【図８】
2011222122.tif 000010
【図９】
2011222122.tif 000011
【図１０】
2011222122.tif 000012
【図１１】
2011222122.tif 000013
【図１２】
2011222122.tif 000014